(57)【要約】【課題】加熱処理の際に、内圧の調整が容易な密閉ラベル、包装材およびそれを用いた包装体を提供する。【解決手段】容器本体２の上部開口２ａを塞ぐ蓋体３には、開口部３ａが形成されており、この開口部３ａを密閉するように密閉ラベル４が、蓋体３に貼着される。密閉ラベル４は、裏面に粘着剤層７が形成された基材層８と、この基材層８の粘着剤層７に、剥離層６を介して貼着され、かつ、加熱によって変形する変形層として少なくともシュリンクフィルム５を有している。【選択図】図１
2016120955.tif 000002
【特許請求の範囲】
【請求項１】
加熱によって生じる蒸気が逃げる蒸気抜き部を有する包装材の前記蒸気抜き部を塞ぐように前記包装材に貼着される密閉ラベルであって、
裏面に粘着剤層が形成された基材層と、前記基材層の前記粘着剤層に、剥離層を介して貼着され、かつ、加熱によって変形する変形層とを備え、
前記変形層は、加熱によって収縮変形するシュリンクフィルムを少なくも有し、
前記基材層は、前記変形層よりも面積が大きく、前記変形層が前記蒸気抜き部を覆うように、前記変形層の周辺部の前記粘着剤層によって、前記包装材に貼着される、
ことを特徴とする密閉ラベル。
【請求項２】
前記蒸気抜き部が、前記包装材に形成された開口部である、
請求項１に記載の密閉ラベル。
【請求項３】
前記変形層が、前記シュリンクフィルムのみからなる、
請求項１または２に記載の密閉ラベル。
【請求項４】
前記変形層は、前記シュリンクフィルムと、加熱によって変形しない基材フィルムとの積層フィルムからなる、
請求項１または２に記載の密閉ラベル。
【請求項５】
前記基材層の前記変形層が貼着されている領域には、前記粘着剤層に至る切込みが形成される、
請求項１ないし４のいずれかに記載の密閉ラベル。
【請求項６】
加熱によって生じる蒸気が逃げる蒸気抜き部を有し、該蒸気抜き部が、前記請求項１ないし５のいずれかに記載の密閉ラベルによって密閉される包装材であって、
内容物を収容する容器本体の開口を塞ぐ蓋体を構成する、
ことを特徴とする包装材。
【請求項７】
加熱によって生じる蒸気が逃げる蒸気抜き部を有し、該蒸気抜き部が、前記請求項１ないし５のいずれかに記載の密閉ラベルによって密閉される包装材であって、
内容物を包装する包装袋の一部を構成する、
ことを特徴とする包装材。
【請求項８】
前記請求項６の包装材と、内容物を収容する前記容器本体とを備える、
ことを特徴とする包装体。
【発明の詳細な説明】
【技術分野】
【０００１】
本発明は、電子レンジ等を使用して加熱処理される食品等を包装する包装容器や包装袋等の包装体、この包装体に使用される蓋体や包装用フィルム等の包装材、及び、包装材に貼着される密閉ラベルに関する。
【背景技術】
【０００２】
電子レンジでそのまま加熱調理することができるように、各種の食材や加工食品等の内容物を包装用フィルム等で構成された包装袋内に密封したり、内容物を収容した包装容器の開口部を包装用フィルム等で密封した食品が多く販売されている。
【０００３】
この種の食品をそのまま電子レンジで加熱調理すると、内容物等から生じる水蒸気等によって包装袋や包装容器の内圧が過剰に上昇し、これによって包装袋を構成する包装用フィルムや、包装容器の開口部を密封する包装用フィルムが破裂し、収容されている内容物が外部に飛散することになる。
【０００４】
このため、加熱時に袋面や容器の蓋部に自然に蒸気抜き用の孔が形成されるようにした技術が、従来から種々提案されている。
【０００５】
例えば、特許文献１には、包装袋のヒートシール部の一部を、電子レンジで食品を加熱した際の水蒸気等の発生に伴う内圧の上昇によって剥離させることによって、孔を開口させ、この孔を通して内部の水蒸気等を排出するようにした包装袋が開示されている。
【先行技術文献】
【特許文献】
【０００６】
【特許文献１】特開平１０−１０１１５４号公報
【発明の概要】
【発明が解決しようとする課題】
【０００７】
しかしながら、上記のようにヒートシール部の一部の接着強度を弱くして内圧の上昇によって剥離させて孔を開口させる従来例では、適度に剥離させて孔を開口させるという調整が容易ではなく、剥離部分の面積が適切でなく、孔が小さ過ぎると、内圧が過大となって包装袋が破裂したり、逆に、孔が大き過ぎると、包装袋から水蒸気が必要以上に排出されて調理が不十分となって食感が低下するといった課題がある。
【０００８】
本発明は、上述のような点に鑑みて為されたものであって、加熱処理の際に、適切な内圧に調整するのが容易な密閉ラベル、それを用いた包装材及び包装体を提供することを目的とする。
【課題を解決するための手段】
【０００９】
上記目的を達成するために、本発明では、次のように構成している。
【００１０】
（１）本発明の密閉ラベルは、加熱によって生じる蒸気が逃げる蒸気抜き部を有する包装材の前記蒸気抜き部を塞ぐように前記包装材に貼着される密閉ラベルであって、裏面に粘着剤層が形成された基材層と、前記基材層の前記粘着剤層に、剥離層を介して貼着され、かつ、加熱によって変形する変形層とを備え、前記変形層は、加熱によって収縮変形するシュリンクフィルムを少なくも有し、前記基材層は、前記変形層よりも面積が大きく、前記変形層が前記蒸気抜き部を覆うように、前記変形層の周辺部の前記粘着剤層によって、前記包装材に貼着される。
【００１１】
本発明の密閉ラベルでは、加熱によって生じる蒸気が逃げる蒸気抜き部を有する包装材の前記蒸気抜き部を塞ぐように、当該密閉ラベルが貼着されるので、各種の食材や加工食品等の内容物を、この包装材によって構成される包装容器や包装袋に収納して密封することができる。
【００１２】
そして、このように内容物を収納した包装容器や包装袋を、電子レンジ等を用いて加熱処理した場合に、蒸気抜き部を覆う変形層が、該変形層のシュリンクフィルムによって収縮変形し、変形層と蒸気抜き部の周辺部の包装材との間に隙間が生じると共に、変形層の収縮変形及び内容物から生じる蒸気等による内圧の上昇によって、変形層の周辺部の粘着剤層と包装材との間に隙間が生じる。すなわち、蒸気抜き部の周辺部の包装材と変形層との間に隙間が形成されると共に、変形層の周辺部の包装材と粘着剤層との間に隙間が形成され、これによって、蒸気抜き部が、該蒸気抜き部の周辺部の包装材と変形層との間に生じた隙間、及び、変形層の周辺部の包装材と粘着剤層との間に生じた隙間によって、粘着剤層外、すなわち、当該密閉ラベル外と部分的に連通する。
【００１３】
したがって、内容物から生じた蒸気等を、包装材の蒸気抜き部、該蒸気抜き部の周辺部の包装材と変形層との隙間、及び、変形層の周辺部の包装材と粘着剤層との隙間を介して当該密閉ラベル外へ排出することができる。
【００１４】
蒸気抜き部を覆うと共に、シュリンクフィルムを有する変形層のサイズや形状、シュリンクフィルムの材質、変形層よりも面積が大きく、粘着剤層によって包装材に貼着される基材層の形状やサイズ、あるいは、剥離層の剥離性などを適宜設定することによって、蒸気抜き部の周辺部の変形層と包装材との間に生じる隙間、あるいは、変形層の周辺部の粘着剤層と包装材との間に生じる隙間の形成を調整することができ、隙間からの蒸気の逃がし量、したがって、包装容器や包装袋の内圧や温度の調整が容易となる。
【００１５】
これによって、電子レンジ等を用いて加熱処理した場合に、内容物から生じる水蒸気等によって、包装容器や包装袋の内圧が過剰に上昇するのを防止して、包装容器や包装袋を構成する包装材が膨れて破裂するのを防止することができる一方、包装容器や包装袋から水蒸気が必要以上に排出されて加熱処理が不十分となるのを防止することができる。
【００１６】
（２）本発明の密閉ラベルの好ましい実施態様では、前記蒸気抜き部が、前記包装材に形成された開口部である。
【００１７】
この実施態様によると、包装材の開口部、例えば、包装容器の蓋体に開口部が予め形成されているような場合には、その開口部を、加熱によって生じる蒸気が逃げる蒸気抜き部として利用することができる。
【００１８】
また、密閉ラベルは、包装材の開口部を覆う変形層よりも大きな面積の基材層の裏面の粘着剤層によって、変形層の周辺部で包装材に貼着されるので、粘着剤層が、変形層で覆われた前記開口部に臨むことはなく、包装材で包装される食品等の内容物が粘着剤層と接触することがない。
【００１９】
（３）本発明の密閉ラベルの一つの実施態様では、前記変形層が、前記シュリンクフィルムのみからなる。
【００２０】
この実施態様によると、シュリンクフィルムのみからなる変形層が、加熱によって収縮変形して凹凸状の皺となり、この皺の形成によって、変形層と包装材との間に上記隙間が形成されると共に、変形層の周辺部の粘着剤層を歪ませ、
粘着剤層と包装材との間に上記隙間を形成することができる。
【００２１】
（４）本発明の密閉ラベルの他の実施態様では、前記変形層は、前記シュリンクフィルムと、加熱によって変形しない基材フィルムとの積層フィルムからなる。
【００２２】
この実施態様によると、加熱によって収縮しない基材フィルムによって、シュリンクフィルムの熱収縮による変形を規制することができ、加熱時に、より適切な形態に変形させて隙間を形成することができる。
【００２３】
（５）本発明の密閉ラベルの好ましい実施態様では、前記基材層の前記変形層が貼着されている領域には、前記粘着剤層に至る切込みが形成される。
【００２４】
この実施態様によると、剥離層の上層である粘着剤層及び基材層には、切込みが形成されているので、加熱によって変形層が収縮した際に、該変形層と共に、剥離層が粘着剤層から剥離して、剥離層と粘着剤層との間に隙間が生じると、この隙間と切込みとが連通し、この切込みを介して基材層外、すなわち、当該密閉ラベル外と部分的に連通することが可能となる。
【００２５】
これによって、内容物から生じた蒸気等を上記の排出経路、すなわち、包装材の蒸気抜き部、該蒸気抜き部の周辺部の包装材と変形層との隙間、及び、変形層の周辺部の包装材と粘着剤層との隙間を介して当該密閉ラベル外へ排出する排出経路以外に、包装材の蒸気抜き部、該蒸気抜き部の周辺部の包装材と変形層との隙間、変形層の上層の剥離層と粘着剤層との隙間、及び、粘着剤層及び基材層に形成された前記切込みを介して当該密閉ラベル外へ排出する排出経路が形成され、内容物から生じた蒸気等を円滑に排出することができる。
【００２６】
（６）本発明の包装材は、加熱によって生じる蒸気が逃げる蒸気抜き部を有し、該蒸気抜き部が、上記（１）ないし（５）のいずれかに記載の密閉ラベルによって密閉される包装材であって、内容物を収容する容器本体の開口を塞ぐ蓋体を構成する。
【００２７】
本発明の包装材は、容器本体の開口を塞ぐ蓋体を構成するものであって、この蓋体の蒸気抜き部を、上記（１）〜（５）の密閉ラベルで密閉することによって、電子レンジ等を用いて加熱処理した場合に、内容物等から生じる水蒸気等によって、包装容器の内圧が過剰に上昇するのが防止されて、包装容器が破裂するのを防止することができる一方、包装容器から水蒸気が必要以上に排出されて加熱処理が不十分となるのを防止することができる。
【００２８】
（７）本発明の包装材は、加熱によって生じる蒸気が逃げる蒸気抜き部を有し、該蒸気抜き部が、上記（１）〜（５）のいずれかに記載の密閉ラベルによって密閉される包装材であって、内容物を包装する包装袋の一部を構成する。
【００２９】
本発明の包装材は、包装袋の一部を構成するものであって、包装袋の蒸気抜き部を、上記（１）〜（５）の密閉ラベルで密閉することによって、電子レンジ等を用いて加熱処理した場合に、内容物等から生じる水蒸気等によって、包装袋の内圧が過剰に上昇するのが防止されて、包装袋が破裂するのを防止することができる一方、包装袋から水蒸気が必要以上に排出されて加熱処理が不十分となるのを防止することができる。
【００３０】
（８）本発明の包装体は、上記（６）の包装材と、内容物を収容する前記容器本体とを備える。
【００３１】
本発明の包装体は、密閉ラベルで蒸気抜き部を密閉した蓋体によって容器本体の開口を塞ぐことによって、電子レンジ等を用いて加熱処理した場合に、内容物等から生じる水蒸気等によって、包装容器の内圧が過剰に上昇するのが防止されて、包装容器が破裂するのを防止することができる一方、包装容器から水蒸気が必要以上に排出されて加熱処理が不十分となるのを防止することができる。
【発明の効果】
【００３２】
本発明の密閉ラベルで蒸気抜き部が塞がれた包装材によって構成された包装容器や包装袋を、電子レンジ等を用いて加熱処理した場合に、蒸気抜き部を覆う変形層が収縮変形し、蒸気抜き部の周辺部の包装材と変形層との間に隙間が生じると共に、変形層の収縮変形及び内圧の上昇によって、変形層の周辺部の粘着剤層と包装材との間に隙間が生じ、内容物から生じた蒸気等を、包装材の蒸気抜き部、該蒸気抜き部の周辺部の包装材と変形層との隙間、及び、変形層の周辺部の包装材と粘着剤層との隙間を介して当該密閉ラベル外へ排出することができる。
【００３３】
蒸気抜き部を覆う変形層のサイズや形状、変形層を構成するシュリンクフィルムの材質、包装材に貼着するための粘着剤層を有する基材層の形状やサイズ、あるいは、剥離層の剥離性などを適宜設定することによって、蒸気抜き部の周辺部の変形層と包装材との間に生じる隙間、あるいは、変形層の周辺部の粘着剤層と包装材との間に生じる隙間の形成を調整することができ、隙間からの蒸気の逃がし量、したがって、包装容器や包装袋の内圧や温度の調整が容易となる。
【００３４】
これによって、電子レンジ等を用いて加熱処理した場合に、内容物から生じる水蒸気等によって、包装容器や包装袋の内圧が過剰に上昇するのを防止して、包装容器や包装袋を構成する包装材が膨れて破裂するのを防止することができる一方、包装容器や包装袋から水蒸気が必要以上に排出されて加熱処理が不十分となるのを防止することができる。
【図面の簡単な説明】
【００３５】
【図１】図１は本発明の一実施形態に係る包装容器の断面図である。
【図２】図２は図１の平面図である。
【図３】図３は図１の要部の拡大断面図である。
【図４】図４は加熱調理状態を示す図３に対応する断面図である。
【図５】図５は本発明の他の実施形態に係る密閉ラベルを示す図２に対応する平面図である。
【図６】図６は図５の要部の拡大断面図である。
【図７】図７は加熱調理状態を示す図６に対応する断面図である。
【図８】図８は本発明の更に他の実施形態に係る密閉ラベルを示す図２に対応する平面図である。
【図９】図９は図８の要部の断面図である。
【図１０】図１０は加熱調理状態を示す図９に対応する断面図である。
【発明を実施するための形態】
【００３６】
以下、本発明の実施の形態を、図面を参照しながら詳細に説明する。
【００３７】
図１は、本発明の一実施形態に係る包装体としての包装容器１の断面図であり、図２は、その平面図である。
【００３８】
この実施形態の包装容器１は、電子レンジ調理食品等の図示しない内容物が収納された容器本体２と、該容器本体２の上部開口２ａを塞ぐ包装材としての蓋体３と、該蓋体３の中央に形成された円形の開口部３ａを密閉する密閉ラベル４とを備えており、加熱調理前の状態では、容器本体２は、蓋体３及び密閉ラベル４によって密封されている。
【００３９】
容器本体２及び蓋体３は、例えば、ポリプロピレン等の合成樹脂からなり、平面視矩形である。蓋体３は、薄い板状であって、例えば、ヒートシールによって容器本体２の上部開口２ａの周辺部に接着される。なお、容器本体２と蓋体３は、その周縁部に互いに嵌合密着する嵌合部をそれぞれ形成し、嵌合させて密封するようにしてもよい。
【００４０】
蓋体３の中央には、包装容器１の製造工程上や内容物の保存上の要請などから円形の開口部３ａが形成されている。この開口部３ａが、後述の電子レンジによる加熱調理の際に、内容物から生じる蒸気が逃げる蒸気抜き部として機能する。
【００４１】
この開口部３ａを閉塞する密閉ラベル４は、図１及びその一部拡大断面図である図３に示されるように、裏面に粘着剤層７が形成された基材層８と、基材層８の粘着剤層７に、剥離層６を介して貼着され、かつ、加熱によって収縮変形する変形層としてのシュリンクフィルム５とを備えている。
【００４２】
シュリンクフィルム５及びその上層の剥離層６は、平面視矩形、具体的には正方形であって、互いに同じサイズである。シュリンクフィルム５及び剥離層６は、矩形に限らず、円形、三角形、その他の形状であってもよい。
【００４３】
シュリンクフィルム５は、例えば、一軸延伸のポリスチレンフィルム（ＯＰＳ）であり、加熱によって図２の矢符Ｂで示される収縮方向(図の左右方向)に沿って収縮する。
【００４４】
このシュリンクフィルム５は、上記一軸延伸のポリスチレンフィルムに限らず、他のシュリンクフィルム、例えば、シュリンクＰＥＴフィルム、シュリンクＰＥ（ポリエチレン）フィルム、シュリンクＰＰ（ポリプロピレン）フィルム、シュリンクＰＶ（ポリ塩化ビニル）フィルム、あるいは、ＰＳ(ポリスチレン)とＰＥＴ(ポリエチレンテレフタレート)の積層系であるハイブリッドシュリンクフィルム等を使用することができ、一軸延伸に限らず、二軸延伸のシュリンクフィルムを使用してもよい。
【００４５】
シュリンクフィルム５の上層の剥離層６は、後述のように、シュリンクフィルム５が加熱によって収縮変形する際に、粘着剤層７から容易に剥離してシュリンクフィルム５の収縮変形を妨げないようにするものであり、例えば、シリコーン樹脂などからなる。
【００４６】
この剥離層６の上層の粘着剤層７及び基材層８は、平面視矩形、具体的には正方形であって、互いに同じサイズの矩形であり、剥離層６及びシュリンクフィルム５よりも大きな面積を有し、剥離層６及びシュリンクフィルム５を覆うように周辺部まで延出している。
【００４７】
粘着剤層７及び基材層８の正方形の中心は、同じく正方形のシュリンクフィルム５及び剥離層６の中心に略一致している。
【００４８】
粘着剤層７及び基材層８は、矩形に限らず、円形、三角形、その他の形状であってもよい。
【００４９】
最上層の基材層８は、例えば、ＰＥＴ（ポリエチレンテレフタレート）フィルムからなる。この基材層８は、ＰＥＴフィルムに限らず、他の樹脂フィルム、例えば、ＯＰ（二軸延伸ポリプロピレン）フィルム、ＰＥフィルム等を使用することができる。
【００５０】
密閉ラベル４は、シュリンクフィルム５及び剥離層６の周辺部まで延出する粘着剤層７によって蓋体３に貼着され、このとき、蓋体３の開口部３ａ及びその周辺部をシュリンクフィルム５が覆い、開口部３ａを密閉する。
【００５１】
このように蓋体３の開口部３ａは、シュリンクフィルム５で覆われ、このシュリンクフィルム５が、容器本体２内の食品等の内容物に臨むので、粘着剤層７の粘着剤に、容器本体２に収容された内容物である食品等が接触することがない。したがって、粘着剤層７を構成する粘着剤として、食品用途以外の粘着剤を使用することができる。
【００５２】
以上のように構成された包装容器１を、電子レンジによって加熱調理すると、加熱によって、シュリンクフィルム５が、熱による収縮方向である図２の矢符Ｂ方向に沿って収縮しようとする。このとき、シュリンクフィルム５の下面は、蓋体３に接着しておらず、また、密閉ラベル４を蓋体３に接着している粘着剤層７とシュリンクフィルム５との間には、剥離層６が設けられているので、シュリンクフィルム５が、熱によって収縮方向の両端部から中央部側へ引っ張られるように収縮しようとすると、剥離層６が粘着剤層７から剥離して、図４に示すように、シュリンクフィルム５が剥離層６と共に収縮し、歪んで皺が生じる。
【００５３】
この皺の凹凸によって、蓋体３とシュリンクフィルム５との間に部分的に隙間が生じると共に、シュリンクフィルム５の周辺の粘着剤層７及び基材層８が、シュリンクフィルム５が収縮する際の応力、及び、容器本体２の内容物から生じる水蒸気等による内圧の上昇を受けて部分的に歪み、蓋体３と粘着剤層７との間にも部分的な隙間が生じる。
【００５４】
これによって、図４の矢符Ｃで示されるように、蓋体３の中央の開口部３ａは、シュリンクフィルム５と蓋体３との隙間、及び、その周辺の粘着剤層７と蓋体３との隙間を介して密閉ラベル４の外側の空間と部分的に連通し、容器本体２の内容物から生じる水蒸気等が、蓋体３の開口部３ａ、開口部３ａの周辺部のシュリンクフィルム５と蓋体３との隙間、及び、シュリンクフィルム５の周辺部の粘着剤層７と蓋体３との隙間を介して密閉ラベル４外へ排出される。
【００５５】
したがって、包装容器１における内圧が過剰に上昇するのを防止し、包装容器１が破裂して内容物が外部に飛散するのを防止することができる。
【００５６】
包装容器１から密閉ラベル４外へ排出される蒸気は、密閉ラベル４の形状やサイズ、特に、シュリンクフィルム５の、蓋体３の開口部３ａ周辺部におけるサイズ、及び、粘着剤層７を有する基材層８のシュリンクフィルム５周辺部におけるサイズ、シュリンクフィルム５の材質、粘着剤層７の粘着力、あるいは、剥離層６の剥離性などを適宜選択することによって、調整することができる。
【００５７】
これによって、包装容器１における内圧が過剰に上昇するのを防止しつつ、包装容器１内の蒸気が必要以上に排出されるのを防止することができるので、包装容器１内を所要の内圧に維持して内容物を蒸らすことができ、適切な加熱調理を行うことができ、蒸気を過剰に排出して食感が低下するといったこともない。
【００５８】
図５〜図７は、本発明の他の実施形態の図２〜図４に対応する図であり、図２〜図４に対応する部分には、同一の参照符号を付す。
【００５９】
上記実施形態では、加熱時に容器本体２の内容物から生じて開口部３へ達した水蒸気等を逃がすための排出経路を予め形成することなく、シュリンクフィルム５の収縮変形によって生じる隙間を利用したが、この実施形態の密閉ラベル４1では、図５及び図６に示すように、加熱時に容器本体２の内容物から生じる水蒸気等を逃がすための排出経路となる複数の切込み９を、基材層８1及びその裏面の粘着剤層７1に形成している。
【００６０】
すなわち、基材層８1及び粘着剤層７1のシュリンクフィルム５が貼着されている正方形の領域には、粘着剤層７1に至るＸ字状の切込み９が、複数形成されている。具体的には、シュリンクフィルム５が存在する正方形の領域であって、その正方形の中心、及び、正方形の４つの角部にそれぞれ形成されている。
【００６１】
このように密閉ラベル４1の基材層８1及び粘着剤層７1には、Ｘ字状の切込み９が、複数形成されているので、包装容器１1を、電子レンジによって加熱調理すると、加熱によって、シュリンクフィルム５が、上記のように変形収縮し、剥離層６と共に歪んで皺が生じる。
【００６２】
この皺によって、蓋体３とシュリンクフィルム５との間に部分的な隙間が生じると共に、剥離層６と粘着剤層７1との間にも部分的な隙間が生じる。この剥離層６と粘着剤層７1との間の隙間が生じた部分の上方に位置する切込み９によって、図７に示すように、蓋体３の中央の開口部３ａは、シュリンクフィルム５と蓋体３との隙間、剥離層６と粘着剤層７1との隙間、及び、切込み９を介して密閉ラベル４1の上方の空間と部分的に連通し、容器本体２の内容物から生じる水蒸気等を、矢符Ｃ１で示すように、蓋体３の開口部３ａ、シュリンクフィルム５と蓋体３との隙間、剥離層６と粘着剤層７1との隙間、及び、切込み９を介して密閉ラベル４1の上方へ排出することができる。
【００６３】
この実施形態においても、上記実施形態と同様に、容器本体２の内容物から生じる水蒸気等が、矢符Ｃで示すように、蓋体３の開口部３ａ、開口部３ａ周辺部のシュリンクフィルム５と蓋体３との隙間、及び、シュリンクフィルム５周辺部の粘着剤層７1と蓋体３との隙間を介して密閉ラベル４1外へ排出される。
【００６４】
上記のように、この実施形態では、シュリンクフィルム５周辺の粘着剤層７1と蓋体３との隙間以外に、剥離層６と粘着剤層７1との隙間、及び、切込み９からなる別の排出経路が形成されることになり、蒸気等の排出がより円滑に行われる。
【００６５】
切込み９の形状は、Ｘ字状に限らず、Ｖ字状、Ｃ字状、その他の形状であってもよく、その数や形成位置も任意に選択することができ、シュリンクフィルム５が存在する正方形の領域に限らず、シュリンクフィルム５が存在しない領域に形成してもよい。
【００６６】
図８〜図１０は、本発明の更に他の実施形態の上記図２〜図４に対応する図であり、図２〜図４に対応する部分には、同一の参照符号を付す。
【００６７】
上記各実施形態では、密閉ラベル４，４1は、加熱によって変形する変形層が、シュリンクフィルム５のみで構成されたけれども、この実施形態の密閉ラベル４2では、加熱によって変形する変形層を、加熱によって収縮変形するシュリンクフィルム５と、その上層の加熱によって変形しない基材フィルム１１との積層フィルム１０で構成している。このように加熱によって収縮するシュリンクフィルム５と、加熱によって収縮しない基材フィルム１１とを積層することによって、シュリンクフィルム５の熱収縮による変形を規制することができ、加熱時に、より適切な形態に変形させることができる。
【００６８】
シュリンクフィルム５は、上記実施形態と同様である。
【００６９】
基材フィルム１１は、例えば、ＰＥＴ（ポリエチレンテレフタレート）フィルムや他の樹脂フィルム、例えば、ＯＰ（二軸延伸ポリプロピレン）フィルム、ＰＥフィルム等からなる。
【００７０】
シュリンクフィルム５と基材フィルム１１との組合せとしては、上記のシュリンクＯＰＳとＰＥＴ以外に、例えば、シュリンクＰＥＴとＰＥＴ、ハイブリッドシュリンクとＰＥＴ、シュリンクＰＥＴとＯＰ、シュリンクＯＰＳとＯＰ、ハイブリッドシュリンクとＯＰの組合せなどが好ましい。
【００７１】
この実施形態の積層フィルム１０は、その上層の剥離層６と共に、図８に示すように、シュリンクフィルム５の収縮方向Ｂに直交する方向（図８の上下方向）に長く形成されており、後述のように、加熱によって積層フィルム１０が芯状に丸まったときに、蒸気等を前記直交する方向へ逃がし易くすると共に、丸まって芯状となった積層フィルム１０が、開口部３ａから容器本体２内に落ちることがないようにしている。
【００７２】
この密閉ラベル４2によって開口部３ａが塞がれた包装容器１2を、電子レンジによって加熱調理すると、シュリンクフィルム５が、熱による収縮方向である図８の矢符Ｂ方向に沿って収縮しようとする。このとき、シュリンクフィルム５の下面は、蓋体３に接着していないのに対して、上面は基材フィルム１１に接着してその収縮変形が規制されており、シュリンクフィルム５が、収縮方向の両端部から中央部側へ引っ張られるように収縮しようとすると、前記両端部の上層の剥離層６が、粘着剤層７から剥離し、図１０に示すように、積層フィルム１０が剥離層６と共に、蓋体３側へ内巻きで丸まって中央側へ巻き取られるように収縮変形する。
【００７３】
このように積層フィルム１０が、粘着剤層７から剥離して内巻きで丸まって芯状に巻き取られることによって、粘着剤層７と剥離層６と蓋体３の表面との間に、シュリンクフィルム５の収縮方向Ｂに直交する方向（図１０の紙面に垂直な方向、図８の上下方向）に沿って隙間が形成されることになる。
【００７４】
また、積層フィルム１０が丸まって芯状になることで、積層フィルム１０の周辺部の粘着剤層７、特に、前記収縮方向Ｂに直交する方向（図８の上下方向）の両端部における粘着剤層７と蓋体３との間に隙間が生じる。これによって、容器本体２の内容物から生じる水蒸気等が、蓋体３の開口部３ａ、積層フィルム１０が芯状に丸まることによって、前記収縮方向Ｂに直交する方向に沿って生じる隙間を介して図８の矢符Ｃ２で示すように密閉ラベル４2外へ排出される。
【００７５】
なお、上記各実施形態と同様に、水蒸気等が、粘着剤層７と蓋体３との隙間を介して矢符Ｃで示すように密閉ラベル４2外へ排出される。
【００７６】
この実施形態では、積層フィルム１０は、シュリンクフィルム５を下層、基材フィルム１１を上層にしたが、シュリンクフィルム５を上層、基材フィルム１１を下層としてもよい。
【００７７】
上記各実施形態では、容器本体２は、薄い板状の蓋体３によって密閉されたけれども、他の実施形態として、蓋体３に代えて、フィルム状の包装フィルムで密閉してもよい。
【００７８】
また、包装容器１，１1，１2に限らず、包装フィルムを重ねて合せて、その周縁部をヒートシールして構成した包装袋に適用してもよい。
【００７９】
この場合、包装フィルムには、蒸気抜き部として、各種形状の切込み、貫通孔、あるいは、内圧の上昇によって破断するハーフカットなどを形成すればよく、それらを組合せて形成してもよい。
【００８０】
これらの切込みや貫通孔等のサイズ、数、形状や位置等を適宜設定することによって、蒸気抜き部による蒸気の逃がし量、したがって、包装袋や包装容器の内圧や温度の調整が容易となる。
【００８１】
本発明は、電子レンジ等による食品の加熱調理に限らず、内容物としての医療器具等を包装した包装袋や包装容器を、加熱殺菌処理するような場合にも適用できるものである。
【符号の説明】
【００８２】
１，１1，１2    包装容器
２              容器本体
３              蓋体
３ａ            開口部
４，４1，４2    密閉ラベル
５，５2  シュリンクフィルム
６              剥離層
７，７1         粘着剤層
８，８1         基材層
９              切込み
１０            積層フィルム
１１            基材フィルム
【図１】
2016120955.tif 000003
【図２】
2016120955.tif 000004
【図３】
2016120955.tif 000005
【図４】
2016120955.tif 000006
【図５】
2016120955.tif 000007
【図６】
2016120955.tif 000008
【図７】
2016120955.tif 000009
【図８】
2016120955.tif 000010
【図９】
2016120955.tif 000011
【図１０】
2016120955.tif 000012